(57)【要約】【課題】アルミニウム製の保護部材を出隅部に取り付けても、所定の耐火性能を確保できかつ容易に施工できる間仕切壁の出隅部の構造を提供すること。【解決手段】間仕切壁の出隅部１は、間仕切壁の出隅部１に配置されてかつ鉛直方向に延びて平面視で略矩形状の鋼製のスタッド１０と、スタッド１０の隣り合う二側面１０Ｃ、１０Ｄに設けられて突き付け部分に欠損部が設けられた石膏ボード２０、２１と、石膏ボード２０、２１の欠損部２３を塞ぐ厚さ１．５ｍｍ以上の出隅部材６０と、出隅部材６０の上に取り付けられたアルミニウム製の保護部材４０と、を備える。【選択図】図４
2018076755.tif 000002
【特許請求の範囲】
【請求項１】
間仕切壁の出隅部に配置されてかつ鉛直方向に延びる平面視で略矩形状の鋼製の鉛直部材と、
当該鉛直部材の隣り合う二側面に設けられて突き付け部分に欠損部が設けられた石膏ボードと、
当該石膏ボードの欠損部を塞ぐ厚さ１．５ｍｍ以上の鋼板と、
当該鋼板の上に取り付けられたアルミニウム製または鋼製の保護部材と、を備えることを特徴とする間仕切壁の出隅部の構造。
【請求項２】
前記鋼板は、前記鉛直部材の隣り合う二側面に固定された固定片と、
当該固定片に設けられて前記石膏ボードの端面が当接する一対の当接片と、を備えることを特徴とする請求項１に記載の間仕切壁の出隅部の構造。
【請求項３】
前記鉛直部材は、１．５ｍｍ以上の厚さの鋼板で形成されることを特徴とする請求項１に記載の間仕切壁の出隅部の構造。
【請求項４】
鉛直方向に延びてかつ平面視で略矩形状の鉛直部材を、間仕切壁の出隅部に取り付ける工程と、
当該鉛直部材の隣り合う二側面に跨がって、１．５ｍｍ以上の厚さの鋼板を取り付ける工程と、
当該鋼板の上にアルミニウム製または鋼製の保護部材を取り付ける工程と、
前記鉛直部材の隣り合う二側面のそれぞれに、前記鋼板の上に一部を重ねて石膏ボードを張り付ける工程と、を備えることを特徴とする間仕切壁の出隅部の構築方法。
【発明の詳細な説明】
【技術分野】
【０００１】
本発明は、軽量鉄骨下地に石膏ボードを張り付けた間仕切壁の出隅部の構造およびその構築方法に関する。
【背景技術】
【０００２】
従来より、建築基準法では、火災時に火炎が急激に燃え広がるのを防ぐために、建築物を一定の面積ごとに区画する防火区画を定めている。この防火区画は、３０分耐火から３時間耐火までの耐火性能を有する柱、壁、床などで構成した耐火構造とする必要がある。
１時間耐火の壁として、軽量鉄骨下地の両面のそれぞれに１２．５ｍｍ厚の石膏ボードを二重に張り付けた軽量鉄骨間仕切壁を用いることが認められている（例えば、国土交通省認定  ＦＰ０６０ＮＰ−０１７４）。
【０００３】
このような耐火壁では、石膏ボード同士の間の隙間については、補強材やシーリング材で埋めて目地処理を行って壁材同士が一体化するように求められている。
出隅部分では、石膏ボード同士の突付けや壁材の折れ曲がりといった納まりになるので、目地処理と同様の処理を行って、部分的に厚さが薄くなったり隙間が生じたりするのを防止している。
【０００４】
また、火災の際に火煙が貫通するのを防止するため、石膏ボードの周縁部（上下左右の四辺）の隙間埋めすなわち四周処理を行う必要がある。例えば、四周処理として、耐火壁と柱や床などの躯体との隙間に、ロックウール系フェルトやシリコン系シール材を詰めることが行われている。
【０００５】
ところで、出隅部分には、物がぶつかってクラックが生じるのを防止するために、コーナー材を用いて、耐火壁の平面部以上に保護されることが多い。
【０００６】
特許文献１の図１には、片面に石膏ボードが二重に張り付けられた耐火壁が示されている。この耐火壁の出隅部では、石膏ボードと石膏ボードにおいて、保護材を介して石膏ボードの外表面を滑らかに連続させるために、出隅部頂点付近で外側の石膏ボード１枚を切欠いて欠損部を設け、この欠損部よりも広範囲で内側（軽量鉄骨材側）に同じ厚さの石膏ボード１枚を貼り、部分的な石膏ボードの厚さの減少を防いでいる。
【先行技術文献】
【特許文献】
【０００７】
【特許文献１】特開２０１６−３７７５９号公報
【発明の概要】
【発明が解決しようとする課題】
【０００８】
しかしながら、上述の特許文献１のような構造では、出隅部の石膏ボードを内側に引っ込めて配置するため、出隅部の軽量鉄骨下地および石膏ボードを加工する必要があり、施工に手間がかかる、という問題があった。
【０００９】
本発明は、アルミニウム製の保護部材を出隅部に取り付けても、所定の耐火性能を確保できかつ容易に施工できる間仕切壁の出隅部の構造およびその構築方法を提供することを目的とする。
【課題を解決するための手段】
【００１０】
請求項１に記載の間仕切壁の出隅部の構造（例えば、後述の間仕切壁の出隅部１、１Ａ、１Ｂ、１Ｃ、１Ｄ）は、間仕切壁の出隅部に配置されてかつ鉛直方向に延びて平面視で略矩形状の鋼製の鉛直部材（例えば、後述のスタッド１０、角形鋼管１２）と、当該鉛直部材の隣り合う二側面に設けられて突き付け部分に欠損部（例えば、後述の欠損部２３）が設けられた石膏ボード（例えば、後述の石膏ボード２０、２１）と、当該石膏ボードの欠損部を塞ぐ厚さ１．５ｍｍ以上の鋼板（例えば、後述の出隅部材６０）と、当該鋼板の上に取り付けられたアルミニウム製または鋼製の保護部材（例えば、後述の保護部材４０）と、を備えることを特徴とする。
【００１１】
建設省告示第１３７６号には、防火区画を貫通する部分に近接する部分に防火設備を設ける場合にあっては、当該防火設備と当該防火区画との間の風道は、厚さ１．５ｍｍ以上の鉄板でつくり、又は鉄網モルタル塗その他の不燃材料で被覆すること、と規定されている。
そこで、本発明によれば、この建設省告示第１３７６号を準用し、石膏ボードの欠損部を厚さ１．５ｍｍ以上の鋼板で塞いだ。これにより、アルミニウム製または鋼製の保護部材を出隅部に取り付けても、従来のように出隅部の内側に石膏ボードを一枚余計に配置する必要がなくなり、所定の耐火性能を確保しつつ、間仕切壁の出隅部を容易に施工できる。
【００１２】
請求項２に記載の間仕切壁の出隅部の構造は、前記鋼板（例えば、後述の出隅部材６０）は、前記鉛直部材の隣り合う二側面（例えば、後述の側面１０Ｃ、１０Ｄ、１２Ｃ、１２Ｄ）に固定された固定片（例えば、後述の固定片６１）と、当該固定片に設けられて前記石膏ボードの端面が当接する一対の当接片（例えば、後述の当接片６２）と、を備えることを特徴とする。
【００１３】
この発明によれば、石膏ボードが当接片に当接する納まりとすることで、石膏ボードの欠損部を厚さ１．５ｍｍ以上の固定片で容易に塞ぐことができる。よって、所定の耐火性能を確保しつつ、間仕切壁の出隅部を容易に施工できる。
【００１４】
請求項３に記載の間仕切壁の出隅部の構造は、前記鉛直部材は、１．５ｍｍ以上の厚さの鋼板で形成されることを特徴とする請求項１に記載の間仕切壁の出隅部の構造。
【００１５】
この発明によれば、鉛直部材を１．５ｍｍ以上の厚さの鋼板で形成したので、鉛直部材の上に鋼板を別体として取り付ける必要がなく、間仕切壁の出隅部の施工がより容易になる。
【００１６】
請求項４に記載の間仕切壁の出隅部の構築方法は、鉛直方向に延びてかつ平面視で略矩形状の鋼製の鉛直部材を、間仕切壁の出隅部に取り付ける工程（例えば、後述のステップＳ２）と、当該鉛直部材の隣り合う二側面に跨がって、１．５ｍｍ以上の厚さの鋼板を取り付ける工程（例えば、後述のステップＳ３）と、当該鋼板の上にアルミニウム製または鋼製の保護部材を取り付ける工程（例えば、後述のステップＳ４）と、前記鉛直部材の隣り合う二側面のそれぞれに、前記鋼板の上に一部を重ねて石膏ボードを張り付ける工程（例えば、後述のステップＳ５）と、を備えることを特徴とする。
【００１７】
この発明によれば、上述の請求項１の効果と同様の効果がある。
【発明の効果】
【００１８】
本発明によれば、アルミニウム製の保護部材を出隅部に取り付けても、所定の耐火性能を確保できるうえに、容易に施工できる。
【図面の簡単な説明】
【００１９】
【図１】本発明の第１実施形態に係る間仕切壁の出隅部の水平断面図である。
【図２】図１のＡ−Ａ断面図である。
【図３】図１のＢ−Ｂ断面図である。
【図４】図１のＣ−Ｃ断面図である。
【図５】前記実施形態に係る間仕切壁の出隅部から保護部材を取り外した状態を示す断面図である。
【図６】前記実施形態に係る間仕切壁の出隅部を構築する手順のフローチャートである。
【図７】前記実施形態の変形例に係る間仕切壁の出隅部の水平断面図である。
【図８】本発明の第２実施形態に係る間仕切壁の出隅部の水平断面図である。
【図９】前記実施形態の変形例に係る間仕切壁の出隅部の水平断面図である。
【図１０】本発明の第３実施形態に係る間仕切壁の出隅部の水平断面図である。
【図１１】前記実施形態に係る間仕切壁の出隅部を構築する手順のフローチャートである。
【図１２】前記実施形態の変形例に係る間仕切壁の出隅部の水平断面図である。
【図１３】本発明の第４実施形態に係る間仕切壁の出隅部の水平断面図である。
【図１４】前記実施形態に係る間仕切壁の出隅部を構築する手順のフローチャートである。
【図１５】前記実施形態の変形例に係る間仕切壁の出隅部の水平断面図である。
【図１６】本発明の第５実施形態に係る間仕切壁の出隅部の水平断面図である。
【図１７】前記実施形態の変形例に係る間仕切壁の出隅部の水平断面図である。
【図１８】本発明の変形例に係る間仕切壁の出隅部の側面図である。
【発明を実施するための形態】
【００２０】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る間仕切壁の出隅部１の側面図である。図２は、図１のＡ−Ａ断面図である。図３は、図１のＢ−Ｂ断面図である。図４は、図１のＣ−Ｃ断面図である。図５は、間仕切壁の出隅部１から保護部材４０を取り外した状態を示す断面図である。
【００２１】
間仕切壁の出隅部１は、平面視で略Ｌ字形状である。この間仕切壁の出隅部１は、床面および天井面に取り付けられた図示しないランナーと、これら上下のランナー間に設けられて鉛直方向に延びる複数の鋼製の鉛直部材としてのスタッド１０、１１と、これらスタッド１０、１１の両側面に二重に重ねて張り付けられて突き付け部分に欠損部２３が設けられた石膏ボード２０、２１と、石膏ボード２０、２１の欠損部２３を塞ぐボード小口押さえ部材３０と、ボード小口押さえ部材３０の上に取り付けられたアルミニウム製の保護部材４０と、ボード小口押さえ部材３０と保護部材４０との隙間に打設されたシーリング材５０と、を備える。
【００２２】
スタッド１０は、出隅部１の角部に設けられ、平面視で６５ｍｍ×６５ｍｍの正方形状である。この角部のスタッド１０について、図１中上側の側面を１０Ａ、図１中左側の側面を１０Ｂ、図１中下側の側面を１０Ｃ、図１中右側の側面を１０Ｄとする。
スタッド１１は、６５ｍｍ幅であり、スタッド１０の側面１０Ａおよび側面１０Ｂに当接して設けられている。
【００２３】
石膏ボード２０、２１は、スタッド１０、１１の側面に設けられた厚さ１２．５ｍｍの下張り石膏ボード２０と、下張り石膏ボード２０の上に設けられた上張り石膏ボード２１と、で構成される。
これら石膏ボード２０、２１は、スタッド１１の側面およびスタッド１０の隣り合う二側面１０Ｃ、１０Ｄに、図示しないタッカーで固定されている。
石膏ボード２１の表面には、クロス２２が張られており、石膏ボード２１の表面の下端部には、巾木２４が取り付けられている（図１参照）。
【００２４】
ボード小口押さえ部材３０は、スタッド１０の側面１０Ｃ、１０Ｄに跨がって設けられた出隅部材６０と、この出隅部材６０を補強する補強部材７０と、を備える。
出隅部材６０は、１．６ｍｍの厚さの鋼製であり、スタッド１０の側面１０Ｃ、１０Ｄに固定された断面略Ｌ字形状の固定片６１と、この固定片６１に設けられて石膏ボード２０、２１の端面が当接する一対の当接片６２と、を備える。
【００２５】
固定片６１は、１．６ｍｍの厚さの鋼板を略Ｌ字形状に折り曲げ加工して一体に形成される。当接片６２は、１．６ｍｍの厚さの鋼板であり、固定片６１の中間位置に溶接固定されている。
【００２６】
出隅部材６０の固定片６１のうち当接片６２よりも外側（角部とは反対側）には、上からビス３３をねじ込まれており、これにより、出隅部材６０はスタッド１０の側面１０Ｃ、１０Ｄに固定されている。また、石膏ボード２０、２１の端部は、この出隅部材６０の固定片６１の上に載せられている。
【００２７】
図１に戻って、保護部材４０の上端部は、天井裏空間まで延びている。この保護部材４０の上端側の側面には、天井材５１の天井見切り５２が当接している。また、出隅部材６０の上端面には、１．６ｍｍの鋼板である塞ぎ板６３が取り付けられており、保護部材４０の上端は、この塞ぎ板６３に当接している。
また、保護部材４０の下端部は、床面まで延びている。出隅部材６０の下端面でかつ床面上には、１．６ｍｍの鋼板である塞ぎ板６３が取り付けられており、保護部材４０の下端は、この塞ぎ板６３に当接している。
【００２８】
補強部材７０は、出隅部材６０の固定片６１に沿って延びる固定片７１と、この固定片７１から出隅部材６０の当接片６２に沿って延びる延出片７２と、を備える。
【００２９】
保護部材４０は、アルミニウム製であり、出隅部材６０の固定片６１上に配置されてスタッド１０の側面１０Ｃ、１０Ｄに固定された一対の固定片４１と、この一対の固定片４１から外側に向かって延びる一対の延出片４２と、一対の延出片４２同士を連結しかつ湾曲した形状の保護片４３と、を備える。
【００３０】
出隅部材６０の固定片６１のうち当接片６２よりも角部側に、保護部材４０の固定片４１を重ねて配置し、この状態で、上からビス４４をねじ込むことにより、保護部材４０は、ボード小口押さえ部材３０とともに、スタッド１０の側面１０Ｃ、１０Ｄに固定される。
【００３１】
以下、間仕切壁の出隅部１を構築する手順について、図６のフローチャートを参照しながら説明する。
ステップＳ１では、図示しないランナーを床面および天井面に取り付ける。
ステップＳ２では、上下のランナー同士の間にスタッド１０、１１を取り付ける。
【００３２】
ステップＳ３では、ビス３３により、ボード小口押さえ部材３０を角部のスタッド１０に取り付ける。
ステップＳ４では、ビス４４により、保護部材４０を角部のスタッド１０に取り付ける。これにより、ボード小口押さえ部材３０の当接片６２と保護部材４０の延出片４２同士との間には、隙間が形成される。
【００３３】
ステップＳ５では、スタッド１０、１１の両側面に石膏ボード２０、２１を張り付ける。このとき、ボード小口押さえ部材３０の固定片６１の上に、石膏ボード２０、２１の一部を載せて取り付ける。
【００３４】
ステップＳ６では、石膏ボード２１の上にクロス２２を張って仕上げを行う。このとき、ボード小口押さえ部材３０の当接片６２の内側までクロス２２を張り付ける。
【００３５】
ステップＳ７では、ボード小口押さえ部材３０と保護部材４０との隙間に、シーリング材５０を打設する。このようにして、石膏ボード２０、２１同士の間に保護部材４０が取り付けられる。
【００３６】
なお、本実施形態では、ビス３３およびビス４４を用いて、ボード小口押さえ部材３０および保護部材４０を角部のスタッド１０に固定したが、これに限らず、図７に示すように、ボード小口押さえ部材３０および保護部材４０を角部のスタッド１０に溶接固定してもよい。
【００３７】
本実施形態によれば、以下のような効果がある。
（１）石膏ボード２０、２１の欠損部２３を厚さ１．５ｍｍ以上の鋼板からなるボード小口押さえ部材３０で塞いだ。これにより、アルミニウム製の保護部材４０を出隅部に取り付けても、従来のように出隅部の内側に石膏ボードを一枚余計に配置する必要がなくなり、所定の耐火性能を確保しつつ、間仕切壁の出隅部１を容易に施工できる。
【００３８】
（２）ボード小口押さえ部材３０の当接片６２に石膏ボード２０、２１が当接する納まりとすることで、石膏ボード２０、２１の欠損部２３を厚さ１．５ｍｍの固定片６１で容易に塞ぐことができる。よって、所定の耐火性能を確保しつつ、間仕切壁の出隅部１を容易に施工できる。
【００３９】
〔第２実施形態〕
図８は、本発明の第２実施形態に係る間仕切壁の出隅部１Ａの水平断面図である。
本実施形態では、ボード小口押さえ部材３０の出隅部材６０を、一部を溶接加工により形成するのではなく、１枚の鋼板を折り曲げ加工して形成する点が、第１実施形態と異なる。
【００４０】
すなわち、出隅部材６０は、１枚の１．６ｍｍの厚さの鋼板を折り曲げ加工して形成される。具体的には、この出隅部材６０は、略Ｗ字形状であり、スタッド１０の側面１０Ｃ、１０Ｄに固定されて互いに連結された一対の固定片６１と、この一対の固定片６１に設けられて石膏ボード２０、２１の端面が当接する一対の当接片６２と、を備える。
また、本実施形態では、第１実施形態と異なり、ビス４４のみを用いて、ボード小口押さえ部材３０および保護部材４０を、角部のスタッド１０に固定する。
【００４１】
なお、本実施形態では、ビス４４を用いて、ボード小口押さえ部材３０および保護部材４０を角部のスタッド１０に固定したが、これに限らず、図９に示すように、溶接により、ボード小口押さえ部材３０および保護部材４０を角部のスタッド１０に固定してもよい。
【００４２】
本実施形態によれば、上述の（１）、（２）と同様の効果がある。
【００４３】
〔第３実施形態〕
図１０は、本発明の第３実施形態に係る間仕切壁の出隅部１Ｂの水平断面図である。
本実施形態では、スタッド１０の代わりに角形鋼管１２が用いられている点が、第２実施形態と異なる。この角部の角形鋼管１２について、図１０中上側の側面を１２Ａ、図１０中左側の側面を１２Ｂ、図１０中下側の側面を１２Ｃ、図１０中右側の側面を１２Ｄとする。
【００４４】
また、本実施形態では、以下の点が第１実施形態と異なる。
すなわち、ボード小口押さえ部材３０は、一対の略Ｌ字形状の出隅部材６０のみで構成され、補強部材が設けられていない。また、ボード小口押さえ部材３０の固定片６１には、上からビス３３がねじ込まれており、これにより、ボード小口押さえ部材３０が角形鋼管１２の側面１２Ｃ、１２Ｄに固定されている。
また、保護部材４０の固定片４１には、上からビス４４がねじ込まれており、これにより、保護部材４０が角形鋼管１２の側面１２Ｃ、１２Ｄに固定される。
【００４５】
本実施形態の間仕切壁の出隅部１Ｂを構築する手順では、図１１に示すように、ステップＳ３Ｂ、Ｓ４Ｂが、第１実施形態と異なる。
すなわち、ステップＳ３Ａでは、ビス４４により、保護部材４０を角部のスタッド１０に取り付ける。
ステップＳ４Ａでは、ビス３３により、ボード小口押さえ部材３０を角部のスタッド１０に取り付ける。
【００４６】
なお、本実施形態では、ビス３３を用いてボード小口押さえ部材３０を角形鋼管１２に固定したが、これに限らず、図１２に示すように、溶接によりボード小口押さえ部材３０を角形鋼管１２に固定してもよい。
【００４７】
本実施形態によれば、上述の（１）、（２）と同様の効果がある。
【００４８】
〔第４実施形態〕
図１３は、本発明の第４実施形態に係る間仕切壁の出隅部１Ｃの水平断面図である。
本実施形態では、保護部材４０をボード小口押さえ部材３０と一体化した点が、第１実施形態と異なる。
すなわち、保護部材４０は、鋼製であり、ボード小口押さえ部材３０の一対の当接片６２同士を連結している。また、第１実施形態と異なり、補強部材７０およびビス４４が設けられていない。
【００４９】
本実施形態の間仕切壁の出隅部１Ｃを構築する手順では、図１４に示すように、ステップＳ３Ｃ以降が、第１実施形態と異なる。
すなわち、ステップＳ３Ｃでは、ビス３３により、保護部材４０およびボード小口押さえ部材３０を角部のスタッド１０に取り付ける。
ステップＳ４Ｃでは、スタッド１０、１１の両側面に石膏ボード２０、２１を張り付ける。
ステップＳ５Ｃでは、石膏ボード２１および保護部材４０の上にクロス２２を張って仕上げを行う。
【００５０】
本実施形態によれば、上述の（１）、（２）と同様の効果がある。
【００５１】
なお、本実施形態では、ボード小口押さえ部材３０を第１実施形態と同様の構成としたが、これに限らず、図１５に示すように、ボード小口押さえ部材３０を第３実施形態と同様の構成としてもよい。
【００５２】
本実施形態によれば、上述の（１）、（２）と同様の効果がある。
【００５３】
〔第５実施形態〕
図１６は、本発明の第５実施形態に係る間仕切壁の出隅部１Ｄの水平断面図である。
本実施形態では、以下の点が、第１実施形態と異なる。
すなわち、下張り石膏ボード２０は、延長されて互いに当接している。
また、補強部材７０が設けられておらず、ボード小口押さえ部材３０の固定片６１は、ビス３３により下張り石膏ボード２０を貫通して角部のスタッド１０に固定されている。また、ボード小口押さえ部材３０の当接片６２には、下張り石膏ボード２０が当接せず、上張り石膏ボード２１のみが当接する。
【００５４】
また、保護部材４０の保護片４３は、湾曲した形状ではなく、略Ｌ字形状である。
また、ボード小口押さえ部材３０と保護部材４０との隙間には、シーリング材が打設されておらず、上張り石膏ボード２１が張り付けられている。
【００５５】
なお、本実施形態では、ボード小口押さえ部材３０の出隅部材６０を、一部を溶接加工により形成したが、これに限らず、図１７に示すように、１枚の鋼板を略Ｗ字形状折り曲げ加工して形成してもよい。
【００５６】
本実施形態によれば、上述の（１）、（２）と同様の効果がある。
【００５７】
なお、本発明は前記実施形態に限定されるものではなく、本発明の目的を達成できる範囲での変形、改良等は本発明に含まれるものである。
例えば、上述の第１〜３実施形態では、ボード小口押さえ部材３０と保護部材４０との隙間にシーリング材５０を打設したが、これに限らず、ボード小口押さえ部材３０と保護部材４０との隙間をパテで埋めてもよい。
【００５８】
この場合、第１、２実施形態のステップＳ６、Ｓ７、第３実施形態のステップＳ４Ｃ、Ｓ５Ｃの代わりに、以下のステップＳ６Ｄ（Ｓ４Ｄ）、Ｓ７Ｄ（Ｓ５Ｄ）となる。
ステップＳ６Ｄ（Ｓ４Ｄ）では、ボード小口押さえ部材３０と保護部材４０との隙間を、パテで埋める。
ステップＳ７Ｄ（Ｓ５Ｄ）では、石膏ボード２１、パテ、および保護部材４０の上にクロス２２を張って仕上げを行う。
【００５９】
また、上述の第４実施形態では、ボード小口押さえ部材３０と保護部材４０との隙間を上張り石膏ボード２１で埋めたが、これに限らず、ボード小口押さえ部材３０と保護部材４０との隙間をシーリング材やパテで埋めてもよい。
また、上述の各実施形態では、保護部材４０の上端部を天井裏空間まで延ばし、保護部材４０の下端部を床面まで延ばしたが、これに限らず、図１８に示すように、保護部材４０の上端部を天井下までとし、保護部材４０の下端部を巾木２４の上までとしてもよい。
また、上述の各実施形態では、石膏ボード２１の表面をクロス仕上げとしたが、これに限らず、塗装仕上げとしてもよい。
【符号の説明】
【００６０】
１、１Ａ、１Ｂ、１Ｃ、１Ｄ…間仕切壁の出隅部
１０…角部のスタッド（鉛直部材）
１０Ａ、１０Ｂ、１０Ｃ、１０Ｄ…スタッドの側面  １１…スタッド
１２…角形鋼管（鉛直部材）  １２Ａ、１２Ｂ、１２Ｃ、１２Ｄ…角形鋼管の側面
２０…下張り石膏ボード  ２１…上張り石膏ボード  ２２…クロス  ２３…欠損部
２４…巾木
３０…ボード小口押さえ部材  ３３…ビス
４０…保護部材  ４１…固定片  ４２…延出片  ４３…保護片  ４４…ビス
５０…シーリング材  ５１…天井材  ５２…天井見切り
６０…出隅部材  ６１…固定片  ６２…当接片  ６３…塞ぎ板
７０…補強部材  ７１…固定片  ７２…延出片
【図１】
2018076755.tif 000003
【図２】
2018076755.tif 000004
【図３】
2018076755.tif 000005
【図４】
2018076755.tif 000006
【図５】
2018076755.tif 000007
【図６】
2018076755.tif 000008
【図７】
2018076755.tif 000009
【図８】
2018076755.tif 000010
【図９】
2018076755.tif 000011
【図１０】
2018076755.tif 000012
【図１１】
2018076755.tif 000013
【図１２】
2018076755.tif 000014
【図１３】
2018076755.tif 000015
【図１４】
2018076755.tif 000016
【図１５】
2018076755.tif 000017
【図１６】
2018076755.tif 000018
【図１７】
2018076755.tif 000019
【図１８】
2018076755.tif 000020